(57)【要約】      （修正有）【課題】優れた曲げ効果と耐屈曲性を持つ撮影用ホルダーおよび支持棒を提供する。【解決手段】撮影用ホルダーおよび支持棒は、支持棒の内部に複数の芯線を互いに巻き付けることによって形成された屈曲可能なロッドを含み、屈曲可能なロッドの両端が第１の接続部材１と第２の接続部材２とに直接接続される。屈曲可能なロッドを曲げることで第１の接続部材と第２の接続部材との間の位置および角度の調整を実現する。ロッドは、耐曲げ強度がより大きく、複数回の曲げに耐え、且つ耐用年数がより長く、ロッド全体は、いずれも複数の芯線を巻き付けて形成されるため、製造が容易である。【選択図】図４
0003226598.tif 000002
【実用新案登録請求の範囲】
【請求項１】
第１の接続部材（１）と、第２の接続部材（２）と、少なくとも２つの芯線（３４）を互いに巻き付けることによって形成され、両端がそれぞれ前記第１の接続部材（１）と前記第２の接続部材（２）とに接続される屈曲可能なロッド（３）と、を含むことを特徴とする支持棒。
【請求項２】
前記屈曲可能なロッド（３）は、第１の端部（３１）と、第２の端部（３２）と、中間部（３３）と、を有し、前記第１の端部（３１）と第２の端部（３２）とは、それぞれ前記中間部（３３）に対する両端に位置し、前記第１の接続部材（１）の片側には、前記屈曲可能なロッド（３）の前記第１の端部（３１）を挿入するための第１の接続孔（１１）が設けられ、前記第２の接続部材（２）の片側には、前記屈曲可能なロッド（３）の前記第２の端部（３２）を挿入するための第２の接続孔（１２）が設けられることを特徴とする請求項１に記載の支持棒。
【請求項３】
前記第１の端部（３１）は、前記第１の接続部材（１）に固定接続され、前記第２の端部（３２）は、前記第２の接続部材（２）に固定接続され、前記第１の端部（３１）の断面形状と前記第２の端部（３２）の断面形状とは、それぞれ非円形であることを特徴とする請求項２に記載の支持棒。
【請求項４】
前記第１の接続孔（１１）の形状と前記第２の接続孔（１２）の形状とは、それぞれ前記第１の端部（３１）の断面形状と前記第２の端部（３２）の断面形状とに一致していることを特徴とする請求項３に記載の支持棒。
【請求項５】
前記第１の端部（３１）における前記芯線（３４）の巻き付け密度と前記第２の端部（３２）における前記芯線（３４）の巻き付け密度とは、同じであることを特徴とする請求項２に記載の支持棒。
【請求項６】
前記屈曲可能なロッド（３）の外側には、第１の保護スリーブ（４）が被覆され、前記第１の保護スリーブ（４）の内面が前記屈曲可能なロッド（３）の外面に当接されることを特徴とする請求項１〜５のいずれか１項に記載の支持棒。
【請求項７】
前記屈曲可能なロッド（３）は、外側には前記芯線（３４）が螺旋状に巻き付けられた中心芯線（３５）をさらに含むことを特徴とする請求項１〜５のいずれか１項に記載の支持棒。
【請求項８】
前記芯線（３４）の外側に前記ロッド（３）と平行に設けられた平行芯線をさらに含むことを特徴とする請求項１〜５のいずれか１項に記載の支持棒。
【請求項９】
前記支持棒の外側に被覆された第２の保護スリーブ（５）をさらに含むことを特徴とする請求項１〜５のいずれか１項に記載の支持棒。
【請求項１０】
請求項１〜９のいずれか１項に記載の支持棒を含むことを特徴とする撮影用ホルダー。
【考案の詳細な説明】
【技術分野】
【０００１】
本考案は、撮影用付属部品の技術分野に関し、具体的には、撮影用ホルダーおよびその支持棒に関する。
【背景技術】
【０００２】
撮影用ホルダーは、カメラ、携帯電話などの他の撮影機器に安定した機械的支持を提供し、現在の撮影用ホルダーは、一般的に、複数の支持棒、および前記支持棒に設けられた接続部材を有し、支持棒は、一端が底面に当接され、他端が支持棒における接続部材に接続され、カメラや携帯電話などの撮影機器を接続部材に固定してもよく、支持棒を曲げることによりカメラや携帯電話などの撮影機器の高さや角度に対する調整を実現することができる。
【０００３】
支持棒の内部には、耐屈曲性のあるアルミロッドが設けられ、アルミロッドを曲げることで支持および調整の効果を実現することができるが、アルミロッドの耐屈曲回数は制限され、２０〜３０回完全に曲げられた後に折れ現象が発生し、撮影用ホルダー全体の耐用年数に大きな影響を与えた。
【考案の概要】
【０００４】
本考案は、従来技術における、支持棒の内部のアルミロッドの耐屈曲回数が制限され、複数回使用することができないという技術的問題を解決するための撮影用ホルダーおよびその支持棒を提供することを目的とする。
【０００５】
上記の目的を達成するために、本考案が採用する技術案は、第１の接続部材と、第２の接続部材と、少なくとも２つの芯線を互いに巻き付けることによって形成され、両端がそれぞれ前記第１の接続部材と前記第２の接続部材とに接続される屈曲可能なロッドと、を含む支持棒を提供することである。
【０００６】
さらに、前記屈曲可能なロッドは、第１の端部、第２の端部および中間部を有し、前記第１の端部および第２の端部は、それぞれ前記中間部に対する両端に位置し、前記第１の接続部材の片側には、前記屈曲可能なロッドの前記第１の端部を挿入するための第１の接続孔が設けられ、前記第２の接続部材の片側には、前記屈曲可能なロッドの前記第２の端部を挿入するための第２の接続孔が設けられる。
【０００７】
さらに、前記第１の端部は、前記第１の接続部材に固定接続され、前記第２の端部は、前記第２の接続部材に固定接続され、前記第１の端部の断面形状と前記第２の端部の断面形状とは、それぞれ非円形である。
【０００８】
さらに、前記第１の接続孔の形状と前記第２の接続孔の形状とは、それぞれ前記第１の端部の断面形状と前記第２の端部の断面形状とに一致している。
【０００９】
さらに、前記第１の端部における前記芯線の巻き付け密度と前記第２の端部における前記芯線の巻き付け密度は、同じである。
【００１０】
さらに、前記屈曲可能なロッドの外側には、第１の保護スリーブが被覆され、前記第１の保護スリーブの内面が前記屈曲可能なロッドの外面に当接される。
【００１１】
さらに、前記屈曲可能なロッドは、外側には前記芯線が螺旋状に巻き付けられた中心芯線をさらに含む。
【００１２】
さらに、少なくとも２本の前記曲げ芯線が平行に設けられる。
【００１３】
さらに、前記支持棒は、その外側に被覆された第２の保護スリーブをさらに含む。
【００１４】
本考案は、上記のいずれかに記載の前記支持棒を含む撮影用ホルダーをさらに開示する。
【００１５】
本考案により提供される撮影用ホルダーおよびその支持棒の有益な効果は、以下のとおりである。従来技術に比べて、本考案の撮影用ホルダーおよびその支持棒は、支持棒の内部に複数の芯線を巻き付けることによって形成された屈曲可能なロッドを設け、屈曲可能なロッドの両端が第１の接続部材と第２の接続部材に直接接続されることにより、屈曲可能なロッドを曲げることで第１の接続部材と第２の接続部材との間の位置および角度の調整を実現することができるとともに、屈曲可能なロッドは、耐曲げ強度がより大きいだけでなく、複数回の曲げに耐えることができ、且つ耐用年数がより長く、屈曲可能なロッド全体は、いずれも複数の芯線を巻き付けることによって形成されるため、屈曲可能なロッド全体の製造をより容易にし、且つ屈曲可能なロッド全体は、いずれもより優れた曲げ効果および耐屈曲性を持ち、種々の異なるニーズに対応することができる。
【図面の簡単な説明】
【００１６】
本考案の具体的な実施形態または従来技術における技術案をより明確に説明するために、具体的な実施形態または従来技術の記載で使用する必要がある図面を以下に簡単に説明し、明らかに、以下に説明した図面は、本考案のいくつかの実施形態であり、当業者にとっては、進歩性に値する労働をせずに、これらの図面に基づいて他の図面を得ることができる。
【図１】本考案の実施例により提供される支持棒の立体構造の模式図である。
【図２】図１における支持棒の正面構造の模式図である。
【図３】図２におけるＡ−Ａ線に沿った断面構造図である。
【図４】本考案の実施例により提供される支持棒の立体構造の模式図であり、第２の保護スリーブが図示されない。
【図５】本考案の実施例により採用される屈曲可能なロッドの立体構造の模式図である。
【図６】本考案の実施例により採用される第１の接続部材の立体構造の模式図である。
【図７】本考案の実施例により採用される第２の接続部材の立体構造の模式図である。
【考案を実施するための形態】
【００１７】
以下、図面を参照しながら本考案の技術案を明確かつ完全に説明し、明らかに、説明した実施例は、全ての実施例ではなく、本考案の一部の実施例である。本考案における実施例に基づいて、当業者が進歩性に値する労働をせずに得るすべての他の実施例は、いずれも本考案の保護範囲内に属する。
【００１８】
本考案の記載において、説明すべきことは、「中心」、「上」、「下」、「左」、「右」、「垂直」、「水平」、「内」、及び「外」などの方位や位置関係を指示する用語が図面に示す方位や位置関係に基づくものであり、単に本考案の説明の容易化および説明の簡素化のためのものであり、言及された装置や素子が特定の方位を有することや、特定の方位で構成や操作されなければならないことを指示または暗示するものではないため、本考案に対する制限として理解することはできない。その他、「第１」、「第２」、及び「第３」という用語は、単に説明の目的であり、相対的な重要性を指示または暗示するものとして理解することはできない。
【００１９】
本考案の記載において、説明すべきことは、明確な規定と限定が別途存在しない限り、「取り付け」、「連結」、及び「接続」という用語は、広義で理解されるべきであり、例えば、固定接続、取り外し可能な接続または一体化接続であってもよいし、機械的接続または電気的接続であってもよいし、直接連結、中間媒体を介する間接連結、または２つの素子の内部の連通であってもよい。当業者にとっては、具体的な状況に応じて本考案における上記用語の具体的な意味を理解することができる。
【００２０】
また、以下に説明した本考案の異なる実施形態に係る技術的特徴は、互いに矛盾しない限り、互いに組み合わせることができる。
【００２１】
実施例１
図１〜図４を一緒に参照しながら本考案により提供される支持棒を説明する。前記支持棒は、第１の接続部材１と、第２の接続部材２と、少なくとも２つの芯線３４を互いに巻き付けることによって形成され、両端がそれぞれ前記第１の接続部材１および前記第２の接続部材２に接続される屈曲可能なロッド３とを含む。
【００２２】
従来技術に比べて、本考案により提供される支持棒は、支持棒の内部に複数の芯線３４を巻き付けることによって形成された屈曲可能なロッド３を設け、屈曲可能なロッド３の両端が第１の接続部材１と第２の接続部材２に直接接続されることにより、屈曲可能なロッド３を曲げることで第１の接続部材１と第２の接続部材２との間の位置および角度の調整を実現することができるとともに、屈曲可能なロッド３は、耐曲げ強度がより大きいだけでなく、複数回の曲げに耐えることができ、且つ耐用年数がより長く、屈曲可能なロッド３全体は、いずれも複数の芯線３４を巻き付けることによって形成されるため、屈曲可能なロッド３全体の製造をより容易にし、且つ屈曲可能なロッド３全体は、いずれもより優れた曲げ効果および耐屈曲性を持ち、種々の異なるニーズに対応することができる。
【００２３】
好ましくは、芯線３４は、一般的にアルミニウム線や鋼線などの一定の剛性と耐屈曲性を有する材質で製造され、芯線３４は、一般的に、直径が０．５〜３ｃｍであり、このとき、より優れた曲げ効果を有する。
【００２４】
さらに、図４〜図７を一緒に参照し、本考案により提供される支持棒の１つの具体的な実施形態として、前記屈曲可能なロッド３は、第１の端部３１、第２の端部３２および中間部３３を有し、前記第１の接続部材１の片側には、前記屈曲可能なロッド３の第１の端部３１を挿入するための第１の接続孔１１が設けられ、前記第２の接続部材２の片側には、前記屈曲可能なロッド３の第２の端部３２を挿入するための第２の接続孔１２が設けられる。具体的には、屈曲可能なロッド３は、第１の端部３１が第１の接続孔１１の内部に挿入され、第２の端部３２が第２の接続孔１２内に挿入され、且つ第１の端部３１が第１の接続孔１１に接続され、第２の端部３２が第２の接続孔１２に接続され、それにより、屈曲可能なロッド３と第１の接続部材１および第２の接続部材２との間の接続を実現する。もちろん、実際の状況および具体的な必要に応じて、本考案の他の実施例では、第１の接続部材１および第２の接続部材２と屈曲可能なロッド３との間は、アダプターを介して交換接続されるか、または第１の接続部材１および第２の接続部材２と屈曲可能なロッド３とは、直接に一体成形されるように接続を実現してもよく、ここで一意に限定されない。
【００２５】
屈曲可能なロッド３は、複数の芯線３４を部分的にのみ巻き付けることによって形成されてもよく、複数の芯線３４の巻き付けは、優れた柔軟性、より優れた放熱性および耐破断性の利点も有し、例えば、中間部３３のみに複数の芯線３４を設け、中間部３３の両端をそれぞれ第１の接続部材１および第２の接続部材２に接続し、中間部３３を曲げることにより第１接続部材１と第２接続部材２との間の位置および角度の調整を実現することができ、或いは、第１の端部３１および第２の端部３２のみに複数の芯線３４を設け、屈曲可能なロッド３が、第１の端部３１および第２の端部３２に複数の芯線３４を巻き付けることによって形成されるため、その両端は、耐曲げ強度がより大きくなるだけでなく、複数回の曲げに耐えることができ、屈曲可能なロッド３の両端は、第１の接続部材１および第２の接続部材２に直接接続され、前記第１の端部３１および前記第２の端部３２の前記芯線３４の巻き付け密度は、同じであり、構造がよりシンプルであるだけでなく、耐用年数がより長い。
【００２６】
さらに、図４〜図７を参照し、本考案により提供される支持棒の１つの具体的な実施形態として、前記第１の端部３１は、前記第１の接続部材１に固定接続され、前記第２の端部３２は、前記第２の接続部材２に固定接続され、前記第１の端部３１および前記第２の端部３２の断面形状は、非円形である。具体的には、第１の端部３１と第１の接続部材１との間の接続方式は、溶接、一体成形、またはボルトバックルの方式であってもよく、第２の端部３２と第２の接続部材２との間の接続方式は、溶接、一体成形、またはボルトバックルの方式であってもよい。第１の接続部材１は、カメラ、携帯電話または他の撮影機器を固定するための固定部材に接続されてもよく、第２の接続部材２は、支持脚に接続されるか、または地面に直接当接されてもよく、第２の接続部材２は、カメラ、携帯電話または他の撮影機器を固定するための固定部材に接続されてもよく、ここで一意に限定されない。
【００２７】
非円形は、一般的に、ウエスト形または楕円形などである。ウエスト形とは、中間部３３が四角形であり、且つこの四角形の対向する両端がそれぞれ２つの半円である形状を指す。屈曲可能なロッド３を加工および生産する際に、第１の端部３１および第２の端部３２を直接平らにし、中間部３３の巻き付けの緊密性を実現することにより、ゆるみ現象の発生を回避することができるとともに、非円形の断面により、第１の端部３１または第２の端部３２が第１の接続孔１１または第１の接続孔１１内に回動現象が発生することを回避することができ、それにより、屈曲可能なロッド３と第１の接続部材１および第２の接続部材２との間の接続の緊密性が確保され得る。もちろん、実際の状況および具体的な必要に応じて、本考案の他の実施例では、第１の端部３１および第２の端部３２の断面形状は、四角形、三角形または他の非円形であってもよく、ここで一意に限定されない。
【００２８】
さらに、図４〜図７を参照し、本考案により提供される支持棒の１つの具体的な実施形態として、前記第１の接続孔１１および前記第２の接続孔１２の形状は、前記第１の端部３１および前記第２の端部３２の断面形状と一致している。第１の端部３１および第２の端部３２は、非円形の断面を採用し、第１の接続孔１１と第２の接続孔１２は、第１の端部３１と第２の端部３２を嵌着するために使用され、第１の接続孔１１および第２の接続孔１２の対応する形状により、第１の接続部材１と第１の端部３１とを固定でき、第２の接続部材２と第２の端部３２とを固定でき、第１の接続部材１および第２の接続部材２に、第１の端部３１および第２の端部３２を固定するための固定部材を設置する必要がなく、組み立ての流れを省いた。もちろん、実際の状況および具体的な必要に応じて、本考案の他の実施例では、第１の端部３１および第２の端部３２の断面形状は、四角形、三角形または他の非円形であってもよく、ここで一意に限定されない。
【００２９】
好ましくは、前記第１の端部３１は、前記第１の接続孔１１と締まり嵌めし、前記第２の端部３２は、前記第２の接続孔１２と締まり嵌めする。具体的には、屈曲可能なロッド３は、第１の端部３１が第１の接続孔１１の内部に挿入され、締り嵌めによって屈曲可能なロッド３と第１の接続孔１１との間の固定接続を実現し、第２の端部３２が第２の接続孔１２内に挿入され、締り嵌めによって屈曲可能なロッド３と第２の接続孔１２との間の固定接続を実現し、それにより、屈曲可能なロッド３と第１の接続部材１および第２の接続部材２との間の接続を実現する。もちろん、実際の状況および具体的な必要に応じて、本考案の他の実施例では、第１の端部３１と第１の接続部材１との間の接続方式は、溶接、一体成形、またはボルトバックルの方式であってもよく、第２の端部３２と第２の接続部材２との間の接続方式は、溶接、一体成形、またはボルトバックルの方式であってもよく、ここで一意に限定されない。
【００３０】
前記第１の端部３１と前記第１の接続孔１１との接続方式、および前記第２の端部３２と前記第２の接続孔１２との接続方式は、以下のとおりであってもよい。第１の接続孔１１の内部には、回転防止保持溝が設けられ、且つ回転防止保持溝の内面形状は、第１の端部３１における芯線３４の巻き付け形状と一致しているため、第１の端部３１を第１の接続孔１１の内部にねじ込むことができ、ねじ山とねじ穴と同様の嵌合を達成することにより、第１の端部３１と前記第１の接続孔１１との固定接続を実現する。第２の端部３２と前記第２の接続孔１２との接続方式は、第１の端部３１と前記第１の接続孔１１との固定接続方式と同じである。
【００３１】
さらに、図３〜図５を参照し、本考案により提供される支持棒の１つの具体的な実施形態として、前記第１の端部３１および前記第２の端部３２の前記芯線３４の巻き付け密度は、同じである。具体的には、第１の端部３１と第２の端部３２は、複数の芯線３４を巻き付けることによって形成され、複数の芯線３４は、等間隔で巻き付けられ、このとき、第１の端部３１および第２の端部３２の巻き付け密度は、同じであるため、局所的な応力が大きすぎるという問題を効果的に回避することができ、構造全体の耐用年数を確保する。
【００３２】
さらに、図１〜図４を参照し、本考案により提供される支持棒の１つの具体的な実施形態として、前記屈曲可能なロッド３の外側には、第１の保護スリーブ４が被覆され、前記第１の保護スリーブ４の内面が前記屈曲可能なロッド３の外面に当接される。具体的には、第１の保護スリーブ４は、屈曲可能なロッド３を保護するようにその外側に直接被覆され、第１の保護スリーブ４の材質は、一般的に金属材質であり、第１の保護スリーブ４の断面は、円環状であり、第１の保護スリーブ４の内面は、中間部３３の屈曲可能なロッド３を補強するため、屈曲可能なロッド３の耐曲げ効果を向上させることができるとともに、その支持効果を向上させることもできる。もちろん、実際の状況および具体的な必要に応じて、本考案の他の実施例では、第１の保護スリーブ４は、プラスチック製やゴム製であってもよく、ここで一意に限定されない。
【００３３】
好ましくは、第１の保護スリーブ４の長さは、屈曲可能なロッド３の長さよりも小さく、第１の保護スリーブ４は、この屈曲可能なロッド３の中間部３３のみに被覆され、それにより、中間部３３を保護するとともに、第１の端部３１および第２の端部３２と第１の接続部材１および第２の接続部材２との間の接続に影響を与えない。
【００３４】
さらに、図１〜図４を参照し、本考案により提供される支持棒の１つの具体的な実施形態として、前記屈曲可能なロッド３は、中心芯線３５をさらに含み、前記芯線３４は、前記中心芯線３５の外側に均一かつ螺旋状に巻き付けられる。具体的には、中心芯線３５は、単一の棒体であり、残りの複数の芯線３４は、中心芯線３５の外側に巻き付けられ、且つ芯線３４は、中心芯線３５の外側に均一に広がっており、このとき、中心芯線３５は、より良い支持効果を果たすことができ、芯線３４は、中心芯線３５の周りに設けられるため、屈曲可能なロッド３全体の支持効果および曲げ効果を確保することができる。もちろん、実際の状況および具体的な必要に応じて、本考案の他の実施例では、中心芯線３５が設けられず、芯線３４のホルダーは互いに巻き付けられてもよく、ここで一意に限定されない。
【００３５】
さらに、図１〜図３を参照し、本考案により提供される支持棒の１つの具体的な実施形態として、支持棒は、その外側に被覆された第２の保護スリーブ５をさらに含む。具体的には、第２の保護スリーブ５は、支持棒の外側に被覆され、第２の保護スリーブ５は、一般的に可撓性の保護スリーブであり、この可撓性の保護スリーブを使用して支持棒を保護することができ、支持棒全体の手触りを向上させることができ、持ちやすくなり、第２の保護スリーブ５は、一般的に、複数のフィラメントまたは金属線などを巻き付けるか、または織ることによって形成される。
【００３６】
実施例２
本考案により提供される支持棒の別の具体的な実施形態として、それと実施例１との相違点は、前記芯線３４の外側に平行に設けられた平行芯線（図示せず）をさらに含むことである。具体的には、本考案の実施例では、中心芯線３５を設けず、互いに巻き付けられた芯線３４を中心の芯線とし、複数の平行芯線は、互いに巻き付けられた芯線３４の外側に平行に設けられることにより、巻き付けられた芯線３４を保護するとともに、支持棒全体の耐屈曲回数をある程度まで増加させることができ、屈曲可能なロッド３全体の支持および曲げ効果を確保することができる。
【００３７】
実施例３
図１〜図７を参照し、本考案は、上記実施例のいずれかに記載の支持棒を含む撮影用ホルダーをさらに提供する。
【００３８】
本考案により提供される撮影用ホルダーは、支持棒の内部に複数の芯線３４を巻き付けることによって形成された屈曲可能なロッド３を設け、屈曲可能なロッド３の両端が第１の接続部材１と第２の接続部材２に直接接続されることにより、屈曲可能なロッド３を曲げることで第１の接続部材１と第２の接続部材２との間の位置および角度の調整を実現できるとともに、屈曲可能なロッド３は、耐曲げ強度がより大きいだけでなく、複数回の曲げに耐えることができ、且つ耐用年数がより長く、屈曲可能なロッド３全体は、いずれも複数の芯線３４を巻き付けることによって形成されるため、屈曲可能なロッド３全体の製造をより容易にし、且つ屈曲可能なロッド３全体は、いずれもより優れた曲げ効果および耐屈曲性を持ち、種々の異なるニーズに対応することができる。
【００３９】
明らかに、上記実施例は、明確な説明のための単なる例であり、実施形態を限定するものではない。当業者にとっては、上記説明に基づいて、他の異なる形態の変更または変形を行うことができる。ここではすべての実施形態を挙げる必要がなく、すべての実施形態を挙げることもできない。ただし、それによって導入された明らかな変更または変形は、依然として本考案の保護範囲内にある。
【符号の説明】
【００４０】
１    第１の接続部材
２    第２の接続部材
３    屈曲可能なロッド
４    第１の保護スリーブ
５    第２の保護スリーブ
１１  第１の接続孔
１２  第２の接続孔
３１  第１の端部
３２  第２の端部
３３  中間部
３４  芯線
３５  中心芯線
【図１】
0003226598.tif 000003
【図２】
0003226598.tif 000004
【図３】
0003226598.tif 000005
【図４】
0003226598.tif 000006
【図５】
0003226598.tif 000007
【図６】
0003226598.tif 000008
【図７】
0003226598.tif 000009